(57)【特許請求の範囲】
【請求項１】
複数の異なる処理モードにより画像を生成処理することが可能な画像生成装置において、
各処理モードにおける画像の生成に関する情報と画像の生成に関する条件を設定するキー群とを表示する表示部と、
前記情報と前記キー群により設定された条件に基づいて画像の生成を行なう画像生成部と、
各処理モードを示す表示画面の背景部分を処理モード毎に異なる色相で表示させると共に、該背景部分上に表示される前記情報と前記キー群をその処理モードの色相における明度と彩度の少なくとも一方を変化させることにより表示させる表示制御部と、
を備えていることを特徴とする画像生成装置。
【請求項２】
前記表示制御部は、複数の異なる処理モードにより画像の生成が行なわれる状態にある場合、前記表示部に、各処理モードを示す表示画面を互いに重ねて表示すると共に、該複数の表示画面のうちの一部を常に表示させることを特徴とする請求項１記載の画像生成装置。
【請求項３】
前記情報と前記キー群は、少なくとも、画像生成する上で基本的な情報とキー群を表示する基本情報表示群と特殊な情報とキー群を表示する特殊情報表示群から構成され、
前記表示制御部は、基本情報表示群には濃くくすんだ色で、特殊情報表示群には淡く鮮かな色で案内表示させることを特徴とする請求項１又は２記載の画像生成装置。
【請求項４】
前記情報と前記キー群は、少なくとも、画像生成する上で基本的な情報とキー群を表示する基本情報表示群と特殊な情報とキー群を表示する特殊情報表示群から構成され、
前記表示制御部は、複数の情報とキー群を表す色の背景上に、基本情報表示群には背景色に対して色差の大きい色で、また特殊情報表示群には背景色に対して色差の小さい色でそれぞれ案内表示させることを特徴とする請求項１又は２記載の画像生成装置。
【発明の詳細な説明】
【０００１】
【発明の属する技術分野】
本発明は、複数の異なるモードにより画像を生成することが可能な画像生成装置に関する。
【０００２】
【従来の技術】
市場の要望に対し、高機能、高性能の複写機が商品化されているが、一方では、装置の構成が複雑となって、日頃利用しない人達にとっては操作をするうえで非常に分かりにくい装置となるおそれがある。
また、コピーモード以外にファクシミリモード、プリンターモード、スキャナーモードなど複数の処理モードを合わせた複合機が提供されており、複数あるモードの中で利用者が所望するモードにより画像を処理するよう指示される装置となっている。しかし、だれにでも簡単に利用できる装置として提供しなければならないが、高機能であるがゆえに、簡単な操作にすることがなかなかむずかしい。
【０００３】
このような中で、最近の複写機においては、操作パネルに大きな表示装置を搭載しておき、絵とメッセージなどにより、親切に手順情報を案内する機能を搭載したものが商品化されている。
これにより、大きな表示部に多くの装置に関する絵やメッセージなどの情報により分かりやすく案内することができて、利用者が安心して利用できるようになっては来ている。しかし、大きな表示部に多くの案内情報で分かりやすく表示するとなると、表示画面が白黒であるために階調表現だけでは限界があり、すべてのモード、機能を分かりやすく案内表示するにも限界があった。
【０００４】
【発明が解決しようとする課題】
そこで、本出願人は、特開平１１−１５４００号公報において、操作パネル上に大きめの液晶表示パネルを搭載して、略中央部分に装置並びに周辺装置の外観図と、装置に関する情報をその周辺に表示するようにして、装置の状態の変化が生じた際に、この表示装置に利用者に対して伝えるべき情報を画像情報としてメッセージ情報を含め表示を順次遷移させながら案内する技術を開示している。
【０００５】
しかし、この方法により分かりやすく案内表示するようにしていると、詳細情報を準備しておくことが必要となり、装置としては操作性のよい商品として提供することができたものの、表示画像情報が膨大なものとなって、利用者のレベルがまちまちであるために、白黒の表示装置による情報だけではまだ理解しに悔いものとして装置自身が敬遠されるおそれもある。
【０００６】
また、特開平１０−１０５００１号公報には、マルチジョブモードを有する複写装置に、カラー表示装置が搭載されているものが開示されている。しかし、この装置は、予約コピー機能が搭載されており、予約された複写モード毎に色を変えてカラー表示装置に予約コピーモードの内容を案内表示するようになっているに過ぎず、膨大な表示画像情報に対応したものではない。
【０００７】
そこで本発明の目的は、上記課題を解決するため、情報表示装置としてカラー表示装置を利用して利用者に分かりやすく操作の案内表示することができる画像生成装置を提供することである。
【０００８】
【課題を解決するための手段】
第１の発明は、複数の異なる処理モードにより画像を生成処理することが可能な画像生成装置において、各処理モードにおける画像の生成に関する情報と画像の生成に関する条件を設定するキー群とを表示する表示部と、前記情報と前記キー群により設定された条件に基づいて画像の生成を行なう画像生成部と、各処理モードを示す表示画面の背景部分を処理モード毎に異なる色相で表示させると共に、該背景部分上に表示される前記情報と前記キー群をその処理モードの色相における明度と彩度の少なくとも一方を変化させることにより表示させる表示制御部とを備えていることを特徴とする。
【００１０】
第２の発明は、前記表示制御部は、複数の異なる処理モードにより画像の生成が行なわれる状態にある場合、前記表示部に、各処理モードを示す表示画面を互いに重ねて表示すると共に、該複数の表示画面のうちの一部を常に表示させることを特徴とする。
【００１１】
第３の発明は、前記情報と前記キー群は、少なくとも、画像生成する上で基本的な情報とキー群を表示する基本情報表示群と特殊な情報とキー群を表示する特殊情報表示群から構成され、前記表示制御部は、基本情報表示群には濃くくすんだ色で、特殊情報表示群には淡く鮮かな色で案内表示させることを特徴とする。
【００１２】
第４の発明は、前記情報と前記キー群は、少なくとも、画像生成する上で基本的な情報とキー群を表示する基本情報表示群と特殊な情報とキー群を表示する特殊情報表示群から構成され、前記表示制御部は、複数の情報とキー群を表す色の背景上に、基本情報表示群には背景色に対して色差の大きい色で、また特殊情報表示群には背景色に対して色差の小さい色でそれぞれ案内表示させることを特徴とする。
【００１３】
【発明の実施の形態】
以下、本発明の実施の形態について、図面を参照しながら説明する。
【００１４】
本実施形態は、例えば、複写モード、プリンターモード、ファックスモード等を有するデジタル画像生成装置である。図１は、操作パネルを備えたデジタル画像生成装置の全体構成を示す断面図である。この画像生成装置は、デジタル複写機１０であり、該デジタル複写機１０は大きく分けて、原稿画像を読み取るスキャナー部１１と、画像を生成してシートに記録するレーザプリンター部１２から構成されている。
【００１５】
スキャナー部１１は、透明ガラスからなる原稿載置台１５、原稿載置台１５上へ自動的に原稿を供給搬送するための両面対応自動原稿送り装置（ＲＡＤＦ）１６、及び原稿載置台１５上に載置された原稿の画像を走査して読み取るための原稿画像読み取りユニット、すなわちスキャナーユニット２０から構成されている。このスキャナー部１１にて読み取られた原稿画像は、画像データとして後述する画像データ入力部へと送られ、画像データに対して所定の画像処理が施される。
【００１６】
上記ＲＡＤＦ１６には、備えられた図示しない原稿トレイ上に複数枚の原稿を一度にセットしておき、セットされた原稿を１枚ずつ自動的にスキャナーユニット２０の原稿載置台１５上へ給送する装置である。またＲＡＤＦ１６は、オペレーターの選択に応じて原稿の片面または両面をスキャナーユニット２０に読み取らせるように、片面原稿のための搬送経路、両面原稿のための搬送経路、搬送経路切り換え手段、各部を通過する原稿の状態を把握し管理するセンター群、および制御部などから構成されている。このＲＡＤＦ１６については、従来から多くの出願、商品化がなされているので、これ以上の説明は省略する。
【００１７】
原稿載置台１５上の原稿の画像を読み取るためのスキャナー部１１を構成するスキャナーユニット２０は、原稿面上を露光するランプリフレクターアセンブリ２１と、原稿からの反射光像を光電変換素子（ＣＣＤ２４）に導くための原稿からの反射光を反射する第１の反射ミラー２２ａを搭載してなる第１の走査ユニット２０ａ、また第１の反射ミラー２２ａからの反射光像をＣＣＤ２４に導くための第２及び第３反射ミラー２２ｂ，２２ｃを搭載してなる第２の走査ユニット２０ｂ、原稿からの反射光像を上述した各反射ミラーを介して電気的画像信号に変換するＣＣＤ２４上に結像させるための光学レンズ２３、および原稿からの反射光像を電気的画像信号に変換する上述したＣＣＤ２４から構成される。
【００１８】
スキャナー部１１は、上記ＲＡＤＦ１６とスキャナーユニット２０の関連した動作により、原稿載置台１５上に読み取るべき原稿を順次載置させながら、原稿載置台１５の下面に沿ってスキャナーユニット２０を移動させて、原稿画像を読み取るように構成されている。特に第１走査ユニット２０ａは、原稿載置台１５に沿って左から右へと一定速度Ｖで走行され、また第２走査ユニット２０ｂは、その速度Ｖに対して、Ｖ／２の速度で同一方向に平行に走査制御される。これにより、原稿載置台１５上に載置された原稿の画像を、１ライン毎に順次ＣＣＤ２４へと結像させて、画像を読み取ることとなる。
【００１９】
原稿画像をスキャナーユニット２０にて読み取ることにより得られた画像データは、後述する画像処理部へ送られ、各種処理が施される。その後、画像処理部のメモリに一旦記憶され、出力指示に応じてメモリ内の画像を読み出してレーザープリンター部１２に転送して、記録シート上に画像を形成させる。このレーザープリンター部１２は、画像を形成させるための記録材であるシートの搬送系と、画像を生成する画像生成部２７とからなる。画像生成部２７は、レーザー書き込みユニット２６、および画像を形成するための電子写真プロセス部２８を備えている。
【００２０】
レーザー書き込みユニット２６は、上述したスキャナーユニット２０にて読み取った後のメモリから読み出した画像データ、または外部の装置から転送されてきた画像データに応じてレーザー光を出射する半導体レーザー光源、レーザー光を等角速度偏向するポリゴンミラー、等角速度で偏向されたレーザー光が電子写真プロセス部２８を構成する感光体ドラム上で等角速度で偏向されるように補正するｆ−θレンズなどを有している。
上記電子写真プロセス部２８は、周知である感光体ドラムの周囲に帯電器、現像器、転写器、剥離器、クリーニング器、除電器を備えている。
【００２１】
一方、シートの搬送系は、上述した画像形成を行う電子写真プロセス部２８の特に転写器が配置された転写位置へとシートＰを搬送する搬送部、該搬送部へとシートＰを送り込むためのカセット給紙装置３１，３２または、必要なサイズのシートを適宜給紙するための手差し給紙装置３４、転写後のシートＰに形成された画像、特にトナー像を定着するための定着器２９、定着後のシートＰの裏面に再度画像を形成するためのシートＰを再供給するための再供給経路３３とを備えている。
また、定着器２９の下流側には、画像が記録されたシートＰを受け取り、このシートＰに対して所定の処理を施す後処理装置１４が配置されている。
【００２２】
画像生成部２７にあるレーザ書き込みユニット２６及び電子写真プロセス部２８において、画像メモリから読み出された画像データは、レーザ書き込みユニット２６によってレーザ光線を走査させることにより、電子写真プロセス部２８である感光体ドラムの表面上に静電潜像として形成される。トナーにより可視像化されたトナー像は、多段給紙ユニットのいずれかの給紙部から搬送された用紙の面上に、静電転写され定着される。
このようにして画像が形成された用紙は、定着器２９から排紙ローラ３７を経由して後処理装置１４内へと搬送される。
【００２３】
（画像処理部の回路説明）
次にこのデジタル複写機１０における、読み取られた原稿画像情報に画像処理を行う画像処理部の構成及び機能について説明する。
【００２４】
図２は、図１のデジタル複写機１０に含まれている画像処理部のブロック図である。この画像処理部は、画像データ入力部４０、画像処理部４１、画像データ出力部４２、ＲＡＭ（ランダムアクセスメモリ）やハードディスク等から構成されるメモリ４３及び中央処理装置（ＣＰＵ）４４を備えている。
【００２５】
画像データ入力部４０は、ＣＣＤ部４０ａ、ヒストグラム処理部４０ｂ及び誤差拡散処理部４０ｃを含んでいる。画像データ入力部４０は、ＣＣＤ２４から読み込まれた原稿の画像データを２値化変換して、２値のデジタル量としてヒストグラムをとりながら、誤差拡散法により画像データを処理して、メモリ４３に一旦記憶するように構成されている。即ち、ＣＣＤ部４０ａでは、画像データの各画素濃度に応じたアナログ電気信号がＡ／Ｄ変換されたのち、ＭＴＦ補正、白黒補正またはガンマ補正が行われ、２５６階調（８ビット）のデジタル信号としてヒストグラム処理部４０ｂへ出力される。
【００２６】
ヒストグラム処理部４０ｂでは、ＣＣＤ部４０ａから出力されたデジタル信号が２５６階調の画素濃度別に加算され、濃度情報（ヒストグラムデータ）が得られるとともに、必要に応じて、得られたヒストグラムデータはＣＰＵ４４へ送られ、又画素データとして誤差拡散処理部４０ｃへ送られる。
【００２７】
誤差拡散処理部４０ｃでは、疑似中間処理の一種である誤差拡散法、すなわち、２値化の誤差を隣接画素の２値化判定に反映させる方法により、ＣＣＤ部４０ａから出力された８ビット／画素のデジタル信号が１ビット（２値化）に変換され、原稿における局所領域濃度を忠実に再現するための再配分演算が行われる。
【００２８】
画像処理部４１は、多値化処理部４１ａ，４１ｂ、合成処理部４１ｃ、濃度変換処理部４１ｄ、変倍処理部４１ｅ、画像プロセス部４１ｆ、誤差拡散処理部４１ｇ並びに圧縮処理部４１ｈを含んでいる。
【００２９】
画像処理部４１は、入力された画像データをオペレータが希望する画像データに最終的に変換する処理部であり、メモリ４３に最終的に変換された出力画像データとして記憶されるまで、この処理部にて処理するように構成されている。但し、画像処理部４１に含まれている上述の各処理部は、必要に応じて機能するものであり、機能しない場合もある。即ち、多値化処理部４１ａ，４１ｂでは、誤差拡散処理部４０ｃで２値化されたデータが再度２５６階調に変換される。
【００３０】
合成処理部４１ｃでは、画素毎の論理演算、即ち、論理和、論理積又は排他的論理和の演算が選択的に行われる。この演算の対象となるデータは、メモリ４３に記憶されている画素データ及びパターンジェネレータ（ＰＧ）からのビットデータである。濃度変換処理部４１ｄでは、２５６階調のデータ信号に対して、所定の階調変換テーブルに基づき、入力濃度に対する出力濃度の関係が任意に設定される。
【００３１】
変倍処理部４１ｅでは、指示された変倍率に応じて、入力される既知データにより補間処理を行うことによって、変倍後の対象画素に対する画素データ（濃度値）が求められ、副走査が変倍された後に主走査が変倍処理される。画素プロセス部４１ｆでは、入力された画素データに対して様々な画像処理が行われ、又、特徴抽出等データ列に対する情報収集が行われ得る。誤差拡散処理部４１ｇでは、画像データ入力部４０の誤差拡散処理部４０ｃと同様な処理が行われる。圧縮処理部４１ｈでは、ランレングスという符号化により２値データが圧縮される。又、画像データの圧縮に関しては、最終的な出力画像データが完成した時点で最後の処理ループにおいて圧縮が機能する。
【００３２】
画像データ出力部４２は、復元部４２ａ、多値化処理部４２ｂ、誤差拡散処理部４２ｃ、及びレーザ出力部４２ｄを含んでいる。画像データ出力部４２は、圧縮状態でメモリ４３に記憶されている画像データを復元し、もとの２５６階調に再度変換し、２値データより滑らかな中間調表現となる４値データの誤差拡散を行い、レーザ出力部４２ｄへデータを転送するように構成されている。
【００３３】
即ち、復元部４２ａでは、圧縮処理部４１ｈによって圧縮された画像データが復元される。多値化処理部４２ｂでは、画像処理部４１の多値化処理部４１ａ，４１ｂと同様な処理が行われる。誤差拡散処理部４２ｃでは、画像データ入力部４０の誤差拡散処理部４０ｃと同様な処理が行われる。レーザ出力部４２ｄでは、図に示していないシーケンスコントロールからの制御信号に基づき、デジタル画素データがレーザのオン／オフ信号に変換され、レーザ書き込みユニット２６における半導体レーザがオン／オフ状態となり、感光体ドラム上に静電潜像が書き込まれる。
【００３４】
尚、画像データ入力部４０および画像データ出力部４２において扱われるデータは、メモリ４３の容量の削減のため、基本的には２値データの形でメモリ４３に記憶されているが、画像データの劣化を考慮して、４値のデータの形で処理することも可能である。
【００３５】
（デジタル複写機全体の制御構成の説明）
図３は、デジタル複写機１０の装置全体の各部を中央処理装置（ＣＰＵ）４４により動作管理している状態を示す図である。ＣＣＤ２４、画像データ入力部４０、画像処理部４１、画像データ出力部４２、画像メモリ４３、及び中央処理装置（ＣＰＵ）４４は、図３と重複するので説明は省略する。
【００３６】
中央処理装置４４は、ＲＡＤＦ３６、スキャナー部３１、レーザープリンター部３２などデジタル複写機１０を構成する各駆動機構部をシーケンス制御により管理すると共に、各部へ制御信号を出力している。さらに中央処理装置４４には、操作パネル４５が相互通信可能な状態で接続されており、操作者が設定入力した複写モードに応じて、制御信号を中央処理装置４４に転送して、デジタル複写機１０をモードに応じて動作させるようになっている。
【００３７】
また、デジタル複写機の動作状態を示す制御信号を、中央処理装置４４から操作パネル４５へと転送する。操作パネル４５側では、この制御信号により装置が現在どのような状態にあるのか、操作者に対し、表示部などで動作状態を表示するようになっている。
【００３８】
４６はソーターコントロールユニットであり、デジタル複写機１０により出力される複写物を仕分けたりする後処理装置の動作を管理する制御ユニットである。４７は画像情報、および画像制御信号など他のデジタル画像機器との情報通信を可能にするために設けられた画像データ通信ユニットである。
【００３９】
図４は、デジタル複写機１０における操作パネルを表したものである。
この操作パネルの中央部分には、図１にもあるタッチパネル液晶表示装置５６が配置されていて、その周囲にも各種モード設定キー群が配置されている。このタッチパネル液晶表示装置５６の画面上には、常時各種モードを選択するための基本スタート画面が表示されている。必要に応じて所望するモードの指示に関するエリアを指で直接押圧操作すると、各種モードが選択指示できるように液晶画面が順次遷移する。その表示された各種モードの中から、操作者が所望する機能が表示されている領域を、指で触れることにより編集機能が設定される。
【００４０】
上記操作パネル上に配置された各種設定キー群について簡単に説明する。
６４は操作方法などを画面に表示させるための操作ガイドキー、６５は複写枚数などの数値情報を入力するためのテンキー、６６は現在処理中の複写モードに新たな複写モードを割り込ませて処理させるための割り込みキー、６７はテンキーなどにより入力されている条件をクリアするクリアキー、６８はデジタル複写機の状態をすべてクリアして標準の状態に復帰させるためのオールクリアキー、６９はこれらキーにより設定されたモードにおいて処理の開始を指示するためのスタートキーである。なお、操作パネル４５の左側に配置された３つのキー群は、上から順にファックスモード７０、プリンタモード７１、コピーモード７２からなるモード切り換え手段である。
【００４１】
今回提示した操作パネル及びその操作パネル上に配置される各種キーは、あくまでも１実施例であり、デジタル複写機に搭載される各種機能により、操作パネル上に設けられるキーは異なってくることはいうまでもない。
【００４２】
次に、デジタル複合機（デジタル複写機１０）を例にして、本発明における複数の画像生成モードに関する情報の表示形態について説明する。
先にも説明したように、デジタル複合機（デジタル複写機１０）は、コピーモード以外に、ファクシミリモード、プリンタモード（外部機器から送られてくる画像データに基づいて画像を生成するモード）、スキャナモード（スキャナにて読み取った画像データを特定の外部機器へ転送するモード）など複数の処理モードにより画像情報を処理する機能を備えている。
【００４３】
図４においても説明したように、このデジタル複合機（デジタル複写機）の操作パネル４５の上において、利用者に対して各種情報を伝えるための手段として、カラー表示素子を備えたカラー液晶表示装置５６が搭載されている。中央処理装置４４は、操作パネル４５の液晶表示装置５６に情報を表示させ、操作者が設定入力した条件にしたがって、画像生成部２７に画像生成させてシートに記録させる。このカラー表示装置５６に各種の処理モードに関する情報を、利用者に対して分かりやすく案内表示するために工夫が施してある。
【００４４】
以下に、案内表示するための工夫について説明する。
図５は、このデジタル複合機（デジタル複写機１０）に搭載されている各種の処理モード毎に、その処理モードを表す色相をあらかじめ設定した管理テーブルである。この管理テーブルはメモリ４３に記憶され、中央処理装置４４がこれに基づいて液晶表示装置５６に表示させる。
ここでは、コピーモードが緑色、ファクシミリモードが赤色、プリンタモードが青色、スキャナモードが黄色として説明するが、各モードを表す色は変更可能であり、任意に設定することも可能である。
【００４５】
（コピーモード時の表示画面）
図６はコピーモード時の表示画面であり、背景部分１００は緑色でその上にコピーモードに関する情報群が表示されている。
背景部分１００の略右側領域にはデジタル複写機の外観図１０１が表示されており、このデジタル複写機１０における記録紙サイズ、周辺機器の状況などを含め現在の状況が確認できるようになっている。そして、背景画面１００の略中央領域には画像の倍率変換に関する情報内容１０２と、倍率変換に関する条件を設定するキー群１０３が表示されている。また、背景画面１００の略左下側領域には画像の濃度変換に関する情報内容１０４と、濃度変換に関する条件を設定するキー群１０５が表示され、さらに、背景画面１００の略左上側領域には、画像の加工を指示する両面キー１０６、編集キー１０７が設けられている。この両面キー１０６、編集キー１０７が操作されると、この基本表示画面から次の両面モード、あるいは編集モードの詳細設定画面へと遷移して、各モードの詳細内容を指示する。
【００４６】
この図６の表示画面上において、緑色の背景部分１００上に表示されている情報表示手段（コピーモードにおける詳細情報内容とコピーモードの詳細を指示するキー群）は、背景画面の緑色の色相における明度、もしくは彩度の少くとも一方を変更した色で表すものとする。これにより、コピーモードに関する情報（情報内容とキー群の内容）として理解しやすくなる。
【００４７】
また、背景画面１００上に表示される情報内容表示、あるいはキー群の中でも、倍率、濃度など画像生成する上で基本的な情報内容表示１０２，１０４、あるいはキー群１０３，１０５に関しては濃くくすんだ色で表現し、あまり使用することのない編集、両面などの特殊な情報内容表示１０６，１０７、あるいはキー群に関しては淡く鮮かな色で表現すると、利用者から見ても分かり易くなる。
【００４８】
さらに、背景画面１００上に表示される情報、あるいはキー群の中でも、倍率、濃度など基本的な情報内容表示１０２，１０４、あるいはキー群１０３，１０５に関しては、背景画面１００の色に対して色差の大きい色で表現し、あまり使用することのない両面、編集などの特殊な情報内容表示１０６，１０７、あるいはキー群に関しては、背景画面１００の色に対して色差の小さい色で表現すれば、利用者から見ても分かり易くなる。
【００４９】
（ファクシミリモード時の表示画面）
図７はファクシミリモード時の表示画面であり、背景部分２００は赤色でその上に各種モードに関する情報群が表示されている。
背景部分２００の略右側領域にはデジタル複写機の外観図２０１が表示されており、このデジタル複写機における記録紙サイズ、周辺機器の状況などを含め現在の状況が確認できるようになっている。そして、背景画面２００の略中央領域には、送信原稿の画質を設定するキーと設定されている条件（画質）を確認する表示部２０２と、送信原稿の濃度を設定するキーと設定されている条件（濃度）を確認する表示部２０３と、送信する原稿の出力サイズを設定するキーと設定されている条件（サイズ）を確認する表示部２０４と、特殊送信モードを設定する画面へと移行する指示キー２０５が表示されている。この特殊送信モードキー２０５が操作されると、親展送信、同報送信など基本的な送信モード以外の送信機能が設定できる。また、背景画面２００の略左下側領域には原稿を送信する送信先が順次表示され、その表示された中から任意の送信先を指示するための送信先情報が表示されている。
【００５０】
この図７の表示画面上において、緑色の背景部分２００上に表示されているフアクシミリモードにおける詳細情報とファクシミリモードの詳細を指示するキー群は、背景画面の赤色の色相における明度、もしくは彩度の少くとも一方を変更した色で表すものとする。これにより、ファクシミリモードに関する情報として理解しやすくなる。
【００５１】
また、背景画面２００上に表示される情報、あるいはキー群の中でも、送信先など画像生成する上で基本的な情報内容表示、あるいはキー群に関しては濃くくすんだ色で表現し、あまり使用することのない送信モードなどの特殊な情報内容表示、あるいはキー群に関しては淡く鮮かな色で表現すると、利用者から見ても分かり易くなる。
【００５２】
さらに、背景画面２００上に表示される情報、あるいはキー群の中でも、送信先など画像生成する上で基本的な情報内容表示、あるいはキー群に関しては、背景画面２００の色に対して色差の大きい色で表現し、あまり使用することのない送信モードなどの特殊な情報内容表示、あるいはキー群に関しては、背景画面２００の色に対して色差の小さい色で表現すれば、利用者から見ても分かりやすくなる。
【００５３】
（プリンタモード時の表示画面）
図８はプリンタモード時の表示画面であり、背景部分３００は青色でその上に各種モードに関する情報群が表示されている。
背景部分３００の略右側領域にはデジタル複写機の外観図３０１が表示されており、このデジタル複写機における記録紙サイズ、周辺機器の状況などを含め現在の状況が確認できるようになっている。そして、背景画面３００の略中央領域には、プリンタジョブが複数存在して一覧表示できないときに順次スクロール表示させるキー群３０２と、順次表示されたジョブをクリアするためのジョブクリアキー３０３が表示されている。
【００５４】
また、背景画面３００の略左側領域には先程のスクロールキー群３０２により読み出し表示された複数のプリントジョブ毎の詳細情報の内容表示３０４である。そして、任意のものにタッチして選択し、ジョブクリアキー３０３を押圧操作すると任意のジョブがクリアされる。
この図８の表示画面上において、緑色の背景部分３００上に表示されているプリンタモードにおける詳細情報の内容表示とプリンタモードの指示を行なうキー群は、背景画面の青色の色相における明度、もしくは彩度の少くとも一方を変更した色で表すものとする。これにより、プリンタモードに関する情報として理解しやすくなる。
【００５５】
また、背景画面３００上に表示される情報内容表示、あるいはキー群の中でも、ジョブの詳細情報の内容表示３０４やスクロールキー３０２などの基本的な情報に関しては濃くくすんだ色で表現し、あまり使用することのないジョブクリアキー３０３などの特殊なキー群に関しては淡く鮮かな色で表現すると、利用者から見ても分かりやすくなる。
【００５６】
さらに、背景画面３００上に表示される情報、あるいはキー群の中でも、ジョブの詳細情報の内容表示３０４やスクロールキー３０２などの基本的な情報に関しては、背景画面３００の色に対して色差の大きい色で表現し、あまり使用することのないジョブクリアキー３０３などは、背景画面３００の色に対して色差の小さい色で表現すれば、利用者から見ても分かりやすくなる。
【００５７】
（スキャナモード時の表示画面）
図９はスキャナモード時の表示画面であり、背景部分４００は黄色でその上に各種モードに関する情報群が表示されている。
背景部分４００の略右側領域にはデジタル複写機の外観図４０１が表示されており、このデジタル複写機における記録紙サイズ、周辺機器の状況などを含め現在の状況が確認できるようになっている。そして、背景画面４００の略中央領域には、複数ある送信先情報を順次スクロールさせるためのスクロールキー群４０２と、指定した任意の送信先に対してスキャナにて読み取った原稿の画像情報を送信するよう指示する送信キー４０３と、送信の指示をクリアするクリアキー４０４が表示されている。
【００５８】
また、背景画面４００の略左側領域には原稿画像情報を送信する送信先が順次表示され、その表示された中から任意の送信先を指示するための送信先情報内容４０５が表示されている。このスキャナモードはファクシミリモードと異なり、読み取った原稿の画像情報を構内のネットワーク網（ＬＡＮ）、インターネットなどを介して特定の外部情報処理装置に対して送信するものである。
この図９の表示画面上において、緑色の背景部分４００上に表示されているスキャナモードにおける送信先情報の内容表示４０５と送信を指示するキー４０３は、背景画面の黄色の色相における明度、もしくは彩度の少くとも一方を変更した色で表すものとする。これにより、スキャナモードに関する情報として理解しやすくなる。
【００５９】
また、背景画面４００上に表示される情報、あるいはキー群の中でも、送信先など基本的な情報の内容表示、あるいは送信キー４０３などに関しては濃くくすんだ色で表現し、あまり使用することのないモードクリアキー４０４などに関しては淡く鮮かな色で表現すると、利用者から見ても分かり易くなる。
【００６０】
さらに、背景画面４００上に表示される情報内容表示、あるいはキー群の中でも、送信先など基本的な情報内容表示、あるいは送信キー４０３に関しては、背景画面４００の色に対して色差の大きい色で表現し、あまり使用することのないモードクリアキー４０４などに関しては、背景画面４００の色に対して色差の小さい色で表現すれば、利用者から見ても分かりやすくなる。
【００６１】
（その他の考慮した点について）
以上の説明では、カラー液晶表示素子上に１つのモードに関する情報テーブルが表示されるように説明しているが、デジタル複合機（デジタル複写機１０）として、複数の画像情報を並行して生成処理する機能を搭載しているので、装置として複数の画像情報を並行して処理していることを利用者に分かりやすく案内する必要がある。
【００６２】
そこで、図１０にあるように、装置として受け入れた複数の画像情報の処理内容の存在を案内するために、それぞれ異なる色相（色）で表される処理モードの情報テーブルを互いに重ね合わせて表示すると共に、このとき互いに異なる色相（色）で表される処理モードの情報テーブルの一部５０１が上部に常に表示されているようにする。これにより、装置としてどれだけの処理を抱えているか確認（把握）することができる。
【００６３】
また、一部表示されている部分５０１をタッチ（押圧）すれば、その処理に関する情報テーブルが一番上に表示され、その処理の内容を確認することができる。
【００６４】
【発明の効果】
本発明に係る画像生成装置によれば、各処理モードを示す表示画面の背景部分を処理モード毎に異なる色相で表示させると共に、該背景部分上に表示される情報とキー群をその処理モードの色相における明度と彩度の少なくとも一方を変化させることにより表示させるので、これから生成しようとしている画像生成モードと、このモードに関する情報を分かりやすく案内表示（確認）することができる。
【００６５】
また、複数の異なるモードにおいて画像を生成する際に、各モードに関する情報の少なくとも一部が必ず表示部に案内表示されているので、これから処理（生成）しようとしている画像に関する情報を簡単に把握することができる。
【００６６】
また、表示装置に表示される各モードに関する情報を、モード毎に変化させた色の背景上にまとめて表示すると共に、その中でも良く利用する（注意を要する）基本に関する情報は濃くくすんだ色で、また、あまり利用しない特殊に関する情報は淡く鮮かな色で案内表示するので、情報確認が容易となり操作性が向上すると共に、設定ミスによる無駄な処理を実施してしまうこともなくなる。
【００６７】
また、表示装置に表示される各モードに関する情報を、モード毎に変化させた色の背景上にまとめて表示すると共に、その中でも良く利用する（注意を要する）基本に関する情報は背景色に対して色差の大きい色で、また、あまり利用しない特殊に関する情報は背景色に対して色差の小さい色で案内表示するので、情報確認が容易となり操作性が向上すると共に、設定ミスによる無駄な処理を実施してしまうこともなくなる。
【図面の簡単な説明】
【図１】操作パネルを備えたデジタル複写機の全体構成を示す断面図である。
【図２】デジタル複写機に含まれている画像処理部のブロック図である。
【図３】デジタル複写機の装置全体の各部を中央処理装置により動作管理している状態を示すブロック図である。
【図４】デジタル複写機における操作パネルを表した外観図である。
【図５】処理モードを表す色相をあらかじめ設定した管理テーブルを示す説明図である。
【図６】コピーモード時の表示画面を示す外観図である。
【図７】ファクシミリモード時の表示画面を示す外観図である。
【図８】プリンタモード時の表示画面を示す外観図である。
【図９】スキャナモード時の表示画面を示す外観図である。
【図１０】各処理モードを重ねて表示する表示画面を示す外観図である。
【符号の説明】
１００  背景部分
１０１    デジタル複写機の外観図
１０２，１０４  倍率、濃度の情報表示内容
１０３，１０５  キー群
１０６，１０７  両面、編集の情報表示内容
【図１】
0003569159.tif 000002
【図２】
0003569159.tif 000003
【図３】
0003569159.tif 000004
【図４】
0003569159.tif 000005
【図５】
0003569159.tif 000006
【図６】
0003569159.tif 000007
【図７】
0003569159.tif 000008
【図８】
0003569159.tif 000009
【図９】
0003569159.tif 000010
【図１０】
0003569159.tif 000011